(57)【要約】 【課題】持ち運び可能な安価で、タイブレークのポイント等を表示し得るテニス用スコアーボードを提供する。【解決手段】持運び可能な強磁性体の板材１２に文字等を表示可能なシート１３を貼付し、該シート上には対戦者のプレヤー名表示部１４、１６を上下左端側の区画内に設け、かつ各プレヤー名表示部１４、１６の下方には０，１５，３０，４０，Ａ，Ｄ の文字列を含むゲームポイント表示部２２、２４を設け、さらに前記シートの上下右端側の区画内には獲得したゲーム数を表示するゲームカウント表示部１８、２０を設け、さらにまた各ゲームポイント表示部と各ゲームカウント表示部の下方にはタイブレークの文字と、ポイントを示す１，２，３，４，５，６，７，８，９，１０の数字の文字列を含むタイブレークポイント表示部２８、３０を設けてなり、磁石付きポインタ２６を前記各文字列の数字、英文字上に吸着保持させてゲームの状態を示し得るようにした。【選択図】  図１
0003107568.tif 000002
【実用新案登録請求の範囲】
【請求項１】
持ち運び可能な強磁性体の板材に文字等の表示可能なシートを貼付してなるテニス用スコアーボードであって、該シート上には互いに対戦するプレヤー名をそれぞれ表示するプレヤー名表示部を上下位置の一端側に設け、かつ各プレヤー名表示部の下方には０，１５，３０，４０，Ａ，Ｄ の文字列を含むゲームポイント表示部をそれぞれ設け、さらに前記シートの上下位置の他端側には獲得したゲーム数を表示するゲームカウント表示部をそれぞれ設け、さらにまた各ゲームポイント表示部と各ゲームカウント表示部の下方にはタイブレークの文字またはタイブレークを意味する他の文字、略号、図形、記号等と、ポイントを示す１，２，３，４，５，６，７，８，９，１０の数字の文字列を含むタイブレークポイント表示部を設けてなり、指で挟持し得ると共に基端部側が少なくとも磁石を有するポインタをそれぞれ前記各文字列の数字もしくは英文字上に吸着保持させることによってゲームポイント、獲得したゲーム等を示し得るようにしたテニス用スコアーボード。
【請求項２】
請求項１記載のテニス用スコアーボードにおいて、シートはステッカー用シート、樹脂シート、アルミニウムラミネート樹脂シート、紙製シート、ゴムシート、ゴム磁石シート、ホワイトボード用筆記具により消去可能に筆記できるようにされたホワイトボード用シート、ホワイトボード用筆記具により消去可能に筆記できるようにされた磁石を有するホワイトボード用シートから選ばれた１つであるテニス用スコアーボード。
【請求項３】
請求項１もしくは２記載のテニス用スコアーボードにおいて、ゲームポイント表示部とタイブレークポイント表示部とをプレヤー名表示部またはゲームカウント表示部の上方に設けるようにしたテニス用スコアーボード。
【請求項４】
請求項１〜３のいずれか１項に記載のテニス用スコアーボードにおいて、各プレヤー名表示部を左右に配置すると共に各プレヤー名表示部の下方に各ゲームカウント表示部を配置し、さらに各プレヤー名表示部の左右いずれかの側方に縦方向にゲームポイント表示部を設け、さらにまたゲームポイント表示部とゲームカウント表示部との側方に縦方向にタイブレークポイント表示部を配置するようにし、あるいは各プレヤー名表示部を左右に配置すると共に各プレヤー名表示部の下方に各ゲームカウント表示部を配置し、各プレヤー名表示部の上下いずれか一方にゲームポイント表示部を設け、さらに各プレヤー名表示部とゲームポイント表示部との左右いずれかの側方に縦方向にタイブレークポイント表示部を配置するようにしたテニス用スコアーボード。
【請求項５】
請求項１〜４のいずれか１項に記載のテニス用スコアーボードにおいて、板材を非磁性体とし、かつ前記板材には請求項２記載のゴム磁石シートもしくは磁石を有するスコアーボード用シートが貼着されてなるテニス用スコアーボード。
【請求項６】
請求項１〜５のいずれか１項に記載のテニス用スコアーボードにおいて、ポインタは透明の合成樹脂もしくはガラスで構成されると共にその基端部側には磁石が吸着時文字等の認識を損なわない状態に設けられ、文字上に吸着させたとき該文字を外部から認識し得るようにしたテニス用スコアーボード。
【請求項７】
板材に貼着してテニス用スコアーボードを構成するための少なくとも請求項１記載のプレヤー名表示部、ゲームポイント表示部、タイブレークポイント表示部およびゲームカウント表示部が表示されたスコアーボード用シートであって、ステッカー用シート、樹脂シート、アルミニウムラミネート樹脂シート、紙製シート、ゴム磁石シート、ホワイトボード用筆記具により消去可能に筆記できるようにされたホワイトボード用シート、ホワイトボード用筆記具により消去可能に筆記できるようにされた磁石を有するホワイトボード用シートから選ばれた１つのシートからなるスコアーボード用シート。
【請求項８】
請求項１〜６のいずれか１項に記載のテニス用スコアーボードに折り畳み可能に連結された第２のスコアーボードを有する３セットマッチ用スコアーボードであって、
第２のスコアーボードは持ち運び可能な強磁性体の板材に文字等の表示可能なシートが貼付され、あるいは非磁性体の板材にゴム磁石シートもしくは磁石を有するスコアーボード用シートが貼付されると共に第２のスコアーボードのシートには上下位置の一端部側に第２セットで各プレヤーが獲得したゲーム数を表示するゲームカウント表示部を設け、上下位置の他端部側に第３セットで各プレヤーが獲得したゲーム数を表示するゲームカウント表示部を設けると共にの両ゲームカウント表示部の下方にはタイブレークの文字またはタイブレークを意味する他の文字、略号、図形、記号等と、タイブレークのポイントを示す１，２，３，４，５，６，７，８，９，１０の数字の文字列を含むタイブレークポイント表示部を設けてなる３セットマッチ用スコアーボード。
【請求項９】
請求項８記載の第２のスコアーボードを構成するためのシートであって、該シートは少なくとも請求項８記載のタイブレークポイント表示部およびゲームカウント表示部が表示されると共にシートはステッカー用シート、樹脂シート、アルミニウムラミネート樹脂シート、紙製シート、ゴム磁石シート、ホワイトボード用筆記具により消去可能に筆記できるようにされたホワイトボード用シート、ホワイトボード用筆記具により消去可能に筆記できるようにされた磁石を有するホワイトボード用シートから選ばれた１つのシートからなるスコアーボード用シート。
【請求項１０】
請求項１〜６、請求項８のいずれか１項に記載のテニス用スコアーボードにおいて、強磁性体の板材に貼付したシートに表示した各表示部の内容を、シートを使用しないで前記板材に直接表示するようにしたテニス用スコアーボード。
【考案の詳細な説明】
【技術分野】
【０００１】
本考案は、持ち運び可能な簡易型のテニス用スコアーボード関するものであり、特にタイブレークのポイントを表示可能としたテニス用スコアーボードに関するものである。本考案のテニス用スコアーボードは初心者用スコアーボードとして好適に使用可能である。
【背景技術】
【０００２】
従来よりテニス用スコアーボードはコートの近傍に固定して設置され、移動はできず、また大型で価格も高くその設置数は限られているので、残りの大半のコートはスコアーボードを備えていないのが通常である。
スコアーボードがなければ記憶にたよることになるので、スコアーに思い違いがあったり、スコアーをめぐって言い争っている様子などもまま見受けられるところである。
【０００３】
そこで、移動用車輪を有する基台上に立設された支持部材上に、スコアーボード本体を−設けた移動型スコアーボードが提案されている。（実公平７−６９２３号公報参照。）ところが、このようなスコアーボードは移動は可能ではあるが、やはり大型であるので、移動がそれほど簡単ではなく、また大型で価格が高い上に、広い保管場所を必要とするので、各コートに見合うだけの台数を用意することは困難である。従って、スコアーボードがないかあるいは不足することによる前記欠点を解消することができないという問題点があった。また、スコアーボードには、記録面部をめくる形式のものも使用されているが、風の強い日には記録面がめくられて正しく表示できないという問題点があった。また、従来のスコアーボードはタイブレークのポイント表示がわかり難いという問題点があった。
【特許文献１】実公平７−６９２３号公報
【０００４】
【考案の開示】
【考案が解決しようとする課題】
【０００５】
解決しようとする問題点は、タイブレークのポイント表示がわかり難い点、スコアーボードを容易に移動できない点、広い保管場所を必要とする点、価格が高い点、各コートごとあるいは各プレーごとにスコアーボードを用意することが困難な点および風で記録面部がめくられる点である。
【課題を解決するための手段】
【０００６】
本考案は次のように構成される。
Ａ    持ち運び可能な強磁性体の板材に文字等の表示可能なシートを貼付してなるテニス用スコアーボードであって、該シート上には互いに対戦するプレヤー名をそれぞれ表示するプレヤー名表示部を上下位置の一端側に設け、かつ各プレヤー名表示部の下方には０，１５，３０，４０，Ａ，Ｄ の文字列を含むゲームポイント表示部をそれぞれ設け、さらに前記シートの上下位置の他端側には獲得したゲーム数を表示するゲームカウント表示部をそれぞれ設け、さらにまた各ゲームポイント表示部と各ゲームカウント表示部の下方にはタイブレークの文字またはタイブレークを意味する他の文字、略号、図形、記号等と、ポイントを示す１，２，３，４，５，６，７，８，９，１０の数字の文字列を含むタイブレークポイント表示部を設けてなり、指で挟持し得ると共に基端部側が少なくとも磁石を有するポインタをそれぞれ前記各文字列の数字もしくは英文字上に吸着保持させることによってゲームポイント、獲得したゲーム等を示し得るようにしたテニス用スコアーボード。
Ｂ  Ａ項記載のテニス用スコアーボードにおいて、シートはステッカー用シート、樹脂シート、アルミニウムラミネート樹脂シート、紙製シート、ゴムシート、ゴム磁石シート、ホワイトボード用筆記具により消去可能に筆記できるようにされたホワイトボード用シート、ホワイトボード用筆記具により消去可能に筆記できるようにされた磁石を有するホワイトボード用シートから選ばれた１つであるテニス用スコアーボード。
Ｃ  Ａ項もしくはＢ項記載のテニス用スコアーボードにおいて、ゲームポイント表示部とタイブレークポイント表示部とをプレヤー名表示部またはゲームカウント表示部の上方に設けるようにしたテニス用スコアーボード。
Ｄ  Ａ項〜Ｃ項のいずれか１項に記載のテニス用スコアーボードにおいて、各プレヤー名表示部を左右に配置すると共に各プレヤー名表示部の下方に各ゲームカウント表示部を配置し、さらに各プレヤー名表示部の左右いずれかの側方に縦方向にゲームポイント表示部を設け、さらにまたゲームポイント表示部とゲームカウント表示部との側方に縦方向にタイブレークポイント表示部を配置するようにし、あるいは各プレヤー名表示部を左右に配置すると共に各プレヤー名表示部の下方に各ゲームカウント表示部を配置し、各プレヤー名表示部の上下いずれか一方にゲームポイント表示部を設け、さらに各プレヤー名表示部とゲームポイント表示部との左右いずれかの側方に縦方向にタイブレークポイント表示部を配置するようにしたテニス用スコアーボード。
Ｅ  Ａ項〜Ｄ項のいずれか１項に記載のテニス用スコアーボードにおいて、板材を非磁性体とし、かつ前記板材には請求項２記載のゴム磁石シートもしくは磁石を有するスコアーボード用シートが貼着されてなるテニス用スコアーボード。
Ｆ  Ａ項〜Ｅ項のいずれか１項に記載のテニス用スコアーボードにおいて、ポインタは透明の合成樹脂もしくはガラスで構成されると共にその基端部側には磁石が吸着時文字等の認識を損なわない状態に設けられ、文字上に吸着させたとき該文字を外部から認識し得るようにしたテニス用スコアーボード。
Ｇ  板材に貼着してテニス用スコアーボードを構成するための少なくともＡ項記載のプレヤー名表示部、ゲームポイント表示部、タイブレークポイント表示部およびゲームカウント表示部が表示されたスコアーボード用シートであって、ステッカー用シート、樹脂シート、アルミニウムラミネート樹脂シート、紙製シート、ゴム磁石シート、ホワイトボード用筆記具により消去可能に筆記できるようにされたホワイトボード用シート、ホワイトボード用筆記具により消去可能に筆記できるようにされた磁石を有するホワイトボード用シートから選ばれた１つのシートからなるスコアーボード用シート。
Ｈ  Ａ項〜Ｆ項のいずれか１項に記載のテニス用スコアーボードに折り畳み可能に連結された第２のスコアーボードを有する３セットマッチ用スコアーボードであって、
第２のスコアーボードは持ち運び可能な強磁性体の板材に文字等の表示可能なシートが貼付され、あるいは非磁性体の板材にゴム磁石シートもしくは磁石を有するスコアーボード用シートが貼付されると共に第２のスコアーボードのシートには上下位置の一端部側に第２セットで各プレヤーが獲得したゲーム数を表示するゲームカウント表示部を設け、上下位置の他端部側に第３セットで各プレヤーが獲得したゲーム数を表示するゲームカウント表示部を設けると共にの両ゲームカウント表示部の下方にはタイブレークの文字またはタイブレークを意味する他の文字、略号、図形、記号等と、タイブレークのポイントを示す１，２，３，４，５，６，７，８，９，１０の数字の文字列を含むタイブレークポイント表示部を設けてなる３セットマッチ用スコアーボード。
Ｉ  Ｈ項記載の第２のスコアーボードを構成するためのシートであって、該シートは少なくともＨ項記載のタイブレークポイント表示部およびゲームカウント表示部が表示されると共にシートはステッカー用シート、樹脂シート、アルミニウムラミネート樹脂シート、紙製シート、ゴム磁石シート、ホワイトボード用筆記具により消去可能に筆記できるようにされたホワイトボード用シート、ホワイトボード用筆記具により消去可能に筆記できるようにされた磁石を有するホワイトボード用シートから選ばれた１つのシートからなるスコアーボード用シート。
Ｊ  Ａ項〜Ｆ項、Ｈ項のいずれか１項に記載のテニス用スコアーボードにおいて、強磁性体の板材に貼付したシートに表示した各表示部の内容を、シートを使用しないで前記板材に直接表示するようにしたテニス用スコアーボード。
本考案は、スコアーボードを、容易に持ち運びできる携帯可能な強磁性体の板材にシートを貼付し（あるいはシートを貼付しないで）、シート（あるいはシートを貼付しない板材）上にプレヤー名、ゲームポイント、ゲームカウント等の表示を可能とし、さらにタイブレークのポイントの表示を可能とし、しかも前記ポイント等の表示は板材に貼付したシート（あるいは板材）上にあらかじめ表示されている数字等の文字列に磁石を有するポインターを吸着させて行い得るように構成したことを最も主要な特徴とする。
【考案の効果】
【０００７】
本考案のテニス用スコアーボードは、タイブレークポイント表示部を設け、磁石を有するポインターを吸着保持させることによりポイントの表示を可能としているので、初心者にとって視覚的にタイブレーク制の理解が容易であるという利点がある。また、携帯可能で各プレヤーが用意できるので、固定的なスコアーボードが設けられていないコートにおいてもスコアーを表示することができる利点がある。また、例えばネット等につり下げる等することによって、スコアーボードの設置が容易に行い得る利点がある。さらに、スコアーボードは板材にスコアー等の表示可能なシートを貼付して構成されるので、構造が簡単でコストが安く、かつ小形にできるので持ち運びや保管が容易であるという利点がある。さらにまた、スコアーボードにはプレヤー名表示部が設けられているので、そこに表示された対戦者を確かめることができ、スコアーボードを使用しない場合初心者に起こり勝ちな対戦相手を間違えるというミスを防止できる利点がある。
また、前記板材上もしくはスコアーボード用シート上には０，１５，３０，４０等の文字列が記載されており、１ポイントとれば磁石の力で１５の上に吸着させ、２ポイントとれば３０の上に、３ポイントとれば４０の上にそれぞれポインターを吸着させるようにすることによって、初心者にとって観念的に理解し難い１５，３０，４０とポイント数１，２，３との関係を、目視により具体的に把握できて、理解し易いという利点がある。
【０００８】
また、テニス用スコアーボードにはタイブレークポイント表示部が設けられているので、タイブレーク制の説明がし易く、初心者にも理解し易いという利点がある。すなわち、相手に２ポイントの差をつけて７ポイントを先取した方がそのゲームを獲得できるが、ゲームカウントが６オールになったとき、先に２ポイントを連取した方がそのセットを獲得できるシステムであることを、上記ゲームを示す数字上にポインターを吸着保持させることによって説明することができるので、初心者にとっても視覚的に理解が容易である。
また、ゲームカウント表示部が設けられているので、スコアーボードを使用しない場合のようにゲームカウントがあいまいになることを回避できる。
さらに、スコアーボードは板材を使用しているので少々の風では裏返るようなことがなく、従来の記録面部をめくる形式のように風によりめくられて表示が不正確になることがないという利点がある。
【考案を実施するための最良の形態】
【０００９】
タイブレークのポイント表示をわかり易くすると共に、スコアーボードの移動を容易にし、かつ広い保管場所を不要とすると共に、価格を安くし各コートごとあるいは各プレヤーごとにスコアーボードを所持することが容易になるようにし、かつスコアーボードは少々の風では裏返らないようにするという目的を、持ち運び可能なシート貼付の板材上にプレヤー名表示部、ゲームポイント表示部、ゲームカウント表示部を設けると共に、タイブレークポイント表示部を設けて目視的にポイント表示を理解し易くし、表示部内の数字や記号等を含む文字列上に、磁石を有するポインターを吸着保持させたり等してテニスのゲム内容を表示するという簡単な構成により実現した。
【実施例１】
【００１０】
図１において、１０はテニス用スコアーボードであり、強磁性体の板材上にシートを貼付し、シート上にプレヤー名表示部、ゲームポイント表示部、ゲームカウント表示部、タイブレークポイント表示部等を設けたものである。本実施例では、強磁性体の板材として鉄板１２を使用し、鉄板１２上にはシートとしてのステッカ用シート（地色は白色）１３が貼付されている。ステッカ用シート１３には図１に示すように、左側の上下の区画内にはそれぞれプレヤー名表示部１４、１６が設けられ、その両表示部内にＮＡＭＥの英文字が記載されている。この表示部１４、１６へのプレヤー名の表示は、磁石を有するプレートやシート状磁石にプレヤー名を表示したものを吸着させるか、あるいは紙等のような非磁性のシートにプレヤー名を表示したものを例えば、テープ等で貼付して行う。消去可能なマーカーであれば、直接書き入れてもよい。なお、図１（ロ）においてステッカ用シート１３は、厚さを誇張して図示されている。
【００１１】
前記ステッカ用シート１３の右側の上下の区画内には、図１に示すようにゲームカウント表示部１８、２０が設けられ、獲得したゲームの数が表示される。この表示部１８、２０への数字の表示は、表示部１８、２０に点線で８の字状に描いた部分に、裏面が白色で表面が着色（本実施例では紺色）された長手状のシート状磁石で両端が尖った頂角をなす形状の数字用素片の複数を、あらかじめ吸着保持させておき、ある位置の数字用素片を裏返すことにより数字を形成して行う。例えば、真ん中の横方向の数字素片を裏返せば０となり、左側の縦向きの２つの数字用素片を裏返すと３となる。なお、ステッカ用シート１３は地色が白色であるから、数字用素片を裏返すとその存在が目立たない。数字用素片とその使用方法については、よく知られているので詳しい説明は省略する。
数字素片の使用に代えて、数字を書き入れた磁石付き表示部材等を吸着保持させてもよい。消去可能なマーカーであれば、直接書き入れてもよい。。
【００１２】
プレヤー名表示部１４、１６下方の横長の区画内には０，１５，３０，４０，Ａ，Ｄの文字列が表示されたゲームポイント表示部２２、２４が設けられている。この表示部２２、２４へのポイントの表示は、図２に示す磁石付きのポインター２６を対応する数字の上に吸着保持させて行う。（ポインター２６については、後述する。）すなわち、ゲームポイントが０ポイントのときは０（ラブ）、１ポイントのときは１５（フィフティーン）、２ポイントのときは３０（サーティ）、３ポイントのときは４０（フォーティ）の上に吸着保持させる。
【００１３】
テニスでは、古くからの慣わしで、１ポイントとれば１５（フィフティーン）、２ポイントとれば３０（サーティ）、３ポイントとれば４０（フォーティ）と称呼しているが、初心者にとって、称呼とポイントとの関係を直ちに理解することは困難である。本実施例ではこの関係が視覚的に感得できるので理解が容易であるという利点がある。また、アドバンテージの状態ではＡ、その後のデュースの状態ではＤの文字上にポインター２６を吸着保持させる。従って、ゲームのポイント、進行状態が分かりやすいという利点がある。また、ポイントが明確になるのでポイントに関するトラブルが起きにくいという利点がある。  
【００１４】
すなわち、テニスは４ポイントを先取した方が１ゲームを獲得するが、お互いに３ポイントずつ得点するとデュース（フォーティオール）となり、そこから２ポイントを連取した方が１ゲームを獲得する。デュースの後、先にポイントをとった方がアドバンテージとなり、つぎのポイントをとれば、１ゲーム獲得となる。前記Ａはこのデュースの後、先にポイントをとった状態にあることを示す。しかし、その次のポイントを相手プレヤーがとった場合は、再度デュースとなり、デュース後は連続で２ポイントをとらなければ、ゲームを獲得できない。前記Ｄはこの再度デュースの状態にあることを示す。従って、このような表示は初心者に分かり易い利点がある。   
【００１５】
ポインタ２６は、図２に示すように、下端部は短い柱状で、上端部はやや太くなり指で把持し易くされている。また下端部には磁石２７が配置され、テニス用スコアーボード１０に吸着保持できるようにされている。また、ポインター２６は透明の材料で構成し、端部にリング状のシート磁石を取り付けるようにしてもよい。文字上に吸着保持されたとき、文字が上から見えるので便利である。
【００１６】
ゲームポイント表示部２２とゲームカウント表示部１８の下方の細長い区画内にはタイブレークの文字と、タイブレークのポイントを表示する円で囲んだ１、２、３、４、５、６、７、８、９、１０の数字の文字列を含むタイブレークポイント表示部２８が設けられている。また、ゲームポイント表示部２４とゲームカウント表示部２０の下方の細長い区画内にはタイブレークの文字と、タイブレークのポイントを表示する円で囲んだ１、２、３、４、５、６、７、８、９、１０の数字の文字列を含むタイブレークポイント表示部３０が設けられている。なお、上記数字のうち７は赤色、６は緑色で、数字を囲む円もそれぞれ赤色と緑色で表示されている。勿論他の色彩を付することも可能である。
【００１７】
取得したポイントを示すには、ポイントに対応する数字上に前記ポインター２６を吸着保持させて行う。これによれば、スコアが明確になるので、スコアのことでもめごとが生じたり、気まずくなったりすることが回避できる利点がある。（スコアーボードを備えず、記憶のみに頼っているときは、スコア等を思い違いをして気まずい思いをするというトラブルを生じやすいが、本実施例ではこのようなトラブルは起こり難い。）
【００１８】
なお、上記ゲーム数を示す文字列の左端側にはタイブレークの文字が表示されているが、これはタイブレーク制を採用することを示す。（なお、タイブレークを採用しないときは、これを無視し、通常の採点（ポイントの計算）を行う。）タイブレークはゲームカウントが６−６になったとき使われる。通常「１２ポイントマッチ」と呼ばれているが、相手に２ポイントの差をつけて７ポイント先取した方が、そのセットを獲得するシステムである。けれども、ポイントが６−６になったときそこから連続２ポイントを取らなければ、そのゲームを獲得できない。実際に８−６や９−７のように得点差が２点差になるまでゲーム続く。タイブレークが終了したときは、そのセットのスコアが７−６と表記される。なお、ポイントが１０を越えた場合には、前記１、２、３、４、５、６、７、８、９、１０の数字の文字列の最初に戻って表示する。この場合（２回目）の１、２、３、……、８、９、１０は、それぞれ１１、１２、１３、……、１８、１９、２０を意味する。２０ポイントになっても得点差が２点差にならなければ、再び前記１、２、３、４、５、６、７、８、９、１０の数字の文字列の最初に戻って表示する。この場合（３回目）の１、２、３、……、１０は、それぞれ２１、２２、２３、……、３０を意味する。
【００１９】
また、タイブレークになるとサーブの仕方も変わるので、ポイントを示す数字の６とこれを囲む円の部分は他と異なる色彩（本実施例では緑色）が付され、目立つようにされている。このようにタイブレークポイント表示部によれば、タイブレークのポイントの付け方やサーブの仕方が変わる位置等が目視的に判断できるので、初心者にとっても理解が容易である。
【実施例２】
【００２０】
図３は本発明の他の実施例を示す。以下変更を要しない部分は同一の番号を付して詳しい説明は省略する。
図３において３２はスコアーボードであり、ヒンジ３１を介してスコアーボード１０に開閉可能に連結されて３セットマッチ用のスコアーボードが構成される。スコアーボード３２はスコアーボード１０と同様に鉄板３４に、地色が白色のステッカ用シート３６を貼付し、シート３６上に第２セット用、第３セット用の各種表示部を設けたものである。なお、後述する各ゲームカウント表示部には、スコアーボード１０の場合と同様に点線で８の字状に描いた部分が設けられ、数字用素片によりゲームカウントを表示可能とされている。
【００２１】
シート３６の上下位置の左端側にそれぞれ第２セット用のゲームカウント表示部３８、４０が設けられると共に、上下位置の右端側にそれぞれ第３セット用のゲームカウント表示部４２、４４が設けられ、さらにゲームカウント表示部３８、４２の下方の区画内と、ゲームカウント表示部４０、４４の下方の区画内には、タイブレークの文字と、タイブレークのポイントを表示する円で囲んだ１、２、３、４、５、６、７、８、９、１０の数字の文字列を含むタイブレークポイント表示部４６、４８がそれぞれ設けられている。数字６、７とこれを囲む円は、スコアーボード１０の場合と同様着色されている。
【００２２】
第２セットにおいてポイントが６−６になると、第１セットの場合同様にタイブレークが使われ、連続２ポイントを先取すればそのゲームを獲得できる。ポイントの表示はスコアーボード１０の場合と同様に行われる。第３セットにおいては、タイブレークは使われないので、通常のゲーム差に基づく計算でゲームの勝利が決められる。
【００２３】
前記各実施例では鉄板に貼付するシートとして、ステッカ用シートを使用したが、これに代えて樹脂シート、アルミニウムラミネート樹脂シート、紙製シート、ゴムシート、ゴム磁石シート、ホワイトボード用筆記具により消去可能に筆記できるようにされたホワイトボード用シート、ホワイトボード用筆記具により消去可能に筆記できるようにされた磁石を有するホワイトボード用シート等を使用することも可能である。
【００２４】
さらに他の実施例として、図１、図３に示すステッカ用シート１３、３６に代えてシート状磁石に同様な表示部を印刷して他のスコアーボード用シートを構成し、これを鉄板１２に代えてアルミニウム板または木等の非磁性体の板材に貼付してテニス用スコアーボードを構成することも可能である。鉄板を使用したスコアーボードに比し軽いという利点がある。また、他の実施例として、スコアーボード用シートとして磁石付きホワイトボード用シートを使用し、これをアルミニウム板または木等の非磁性体の板材に貼付してもよい。この場合消去可能なマーカー（インク）で直接書き入れてもよいので、プレヤー名やゲームカウント等の記入（表示）が簡単である。また、鉄板を使用しないので軽量にできるという利点がある。さらに、シートを使用せず、鉄板に前記シートに表示した各表示部と同様な内容の表示部を直接表示するようにしてもよい。
以上本考案のいくつかの実施例を説明したが、本考案はこのような実施例に何ら限定されるものではなく、本考案の要旨を変更しない範囲において種々なる実施をし得ることはもちろんである。
【産業上の利用可能性】
【００２５】
本発明のテニス用スコアーボードは、サイズを適当にすれば、鞄や下げ袋等に入り得る携帯用スコアーボードとして利用できる。また、一部の表示部を変えれば、バトミントン用スコアーボードとして適用できる。
【図面の簡単な説明】
【００２６】
【図１】（イ）、（ロ）は本考案の一実施例をシートの一部を剥がして示す正面図と側面図である。
【図２】（イ）、（ロ）は同実施例に使用する一部品の正面図と平面図である。
【図３】（イ）、（ロ）は本考案の他の実施例を一部を省略すると共に、シートの一部を剥がして示す正面図である。
【符号の説明】
【００２７】
１０  テニス用スコアーボード
１２  鉄板（板材）
１３  ステッカ用シート
１４  プレヤー名表示部
１６  プレヤー名表示部
１８  ゲームカウント表示部
２０  ゲームカウント表示部
２２  ゲームポイント表示部
２４  ゲームポイント表示部
２６  ポインター
２７  磁石
２８  タイブレークポイント表示部
３０  タイブレークポイント表示部
３２  スコアーボード
３４  鉄板
３６  ステッカ用シート
３８  ゲームカウント表示部
４０  ゲームカウント表示部
４２  ゲームカウント表示部
４４  ゲームカウント表示部
４６  タイブレークポイント表示部
４８  タイブレークポイント表示部
【図１】
0003107568.tif 000003
【図２】
0003107568.tif 000004
【図３】
0003107568.tif 000005